(57)【要約】【課題】紙幣を一枚づつ確実に排出する方法及び装置を提供する。【解決手段】本体１内に光発射モジュール３と、光受信モジュール２とが収容され、光発射モジュール３および光受信モジュール２は紙幣通路１４両側の紙幣排出口１５の近くに別々に設置される。一枚目の紙幣６が紙幣通路１４を通過したとき、光発射モジュール３から照射される光線が紙幣６を通過して光受信モジュール２に照射または反射し、得られた測定数値と予め設定された基準値との比較が行われ、仮に二つの数値が近似していれば継続して紙幣排出動作が行われ、二つの数値の差が大きい場合、紙幣６は反対方向に回収される。それによって紙幣が二枚同時に排出されるのを確実に防ぐことができる。【選択図】  図３
2007041815.tif 000002
【特許請求の範囲】
【請求項１】
本体内に光発射モジュールと、光受信モジュールとが収容され、
前記光発射モジュールおよび光受信モジュールは紙幣通路両側の紙幣排出口の近くに別々に設置され、一枚目の紙幣が紙幣通路を通過したとき、光発射モジュールから照射される光線が紙幣を通過して光受信モジュールに照射または反射し、得られた測定数値と予め設定された基準値との比較が行われ、仮に二つの数値が近似していれば継続して紙幣排出動作が行われ、二つの数値の差が大きい場合、紙幣は反対方向に回収されることを特徴とする紙幣が二枚同時に排出されるのを防ぐ方法。
【請求項２】
前記本体は中空の収容体であり、前記本体内には基板が設けられ、基板の上方の中空部位には予め紙幣を堆積しておく紙幣収容部が形成され、基板の下方の中空部位には収容空間が形成され、基板の一側には紙幣通路が設けられ、紙幣通路は紙幣排出口と連通していることを特徴とする請求項１記載の紙幣が二枚同時に排出されるのを防ぐ方法。
【請求項３】
本体内に光発射モジュールと、光受信モジュールとが収容され、
前記光発射モジュールおよび光受信モジュールは紙幣通路両側の紙幣排出口の近くに別々に設置され、一枚目の紙幣が紙幣通路を通過したとき、光発射モジュールから照射される光線が紙幣を通過して光受信モジュールに照射または反射し、得られた測定数値と予め設定された基準値との比較が行われ、仮に二つの数値が近似していれば継続して紙幣排出動作が行われ、二つの数値の差が大きい場合、紙幣は反対方向に回収されるものであって、前記本体は中空の収容体であり、前記本体内には基板が設けられ、基板の上方の中空部位には予め紙幣を堆積しておく紙幣収容部が形成され、基板の下方の中空部位には収容空間が形成され、基板の一側には紙幣通路が設けられ、紙幣通路は紙幣排出口と連通し、前記基板には複数の貫通孔が設けられ、収容空間内には搬送ローラセットが設置され、前記搬送ローラセットは基板の下方に位置し、紙幣収容部内には排出ローラセットが設置され、前記排出ローラセットは基板と紙幣通路との間に位置することを特徴とする紙幣が二枚同時に排出されるのを防ぐ装置。
【請求項４】
前記搬送ローラセットは、複数の回転ローラからなり、一部の回転ローラの一側には押圧ブロックが嵌設され、基板の貫通孔上方に露出しており、前記排出ローラセットは、紙幣分離ローラ、調整ローラおよび押圧ローラからなることを特徴とする請求項３記載の装置。
【請求項５】
前記排出ローラセットの紙幣分離ローラ、調整ローラおよび押圧ローラは、それぞれ対応する回転ローラ周縁に抵触しており、前記調整ローラは対応する回転ローラ上方で自由に間隔を調整できることを特徴とする請求項４記載の装置。
【請求項６】
前記光発射モジュールは、電気抵抗、コンデンサ、トランジスタおよび発光素子からなり、制御回路と接続されており、前記制御回路は発光素子に入力される電流を制御して発光素子から発射される光線強度を制御することを特徴とする請求項１記載の紙幣が二枚同時に排出されるのを防ぐ方法。
【請求項７】
前記光受信モジュールは、電気抵抗、コンデンサ、トランジスタおよび受信素子からなり、制御回路と接続されており、前記受信素子は受信測定した信号を制御回路に伝送して数値比較を行うことを特徴とする請求項１記載の紙幣が二枚同時に排出されるのを防ぐ方法。
【請求項８】
前記予め設定された基準値は、紙幣排出動作を連続して数回行い、それによって得られた測定数値を平均したものとすることができることを特徴とする請求項１記載の紙幣が二枚同時に排出されるのを防ぐ方法。
【発明の詳細な説明】
【技術分野】
【０００１】
本発明は紙幣が二枚同時に排出されるのを防ぐ方法に関し、特に紙幣を排出するとき、確実に一枚の紙幣を排出できる方法、及び、装置に関する。
【背景技術】
【０００２】
現在、科学技術は発達しており、多くの公共の場所では現代人が重視している利便性や迅速性を考慮して至る所に自動販売機（切符販売機、両替機など）が設置されている。自動販売機によって大幅に人件費を節約できるだけではなく、現代人はその利便性を大いに享受しており、紙幣払出機は自動化に設計の重点が置かれている。しかし、各紙幣の厚さは極めて薄く、各種原因によって、紙幣搬出がスムーズに行かなかったり紙幣を重複して排出したりする状況が容易に発生し、各種紙幣を如何に紙幣排出口からスムーズに確実に排出するかがメーカーの改良重点であった。
【０００３】
本発明の発明者は１９８１年から両替機に対する研究、設計および製品製作を行っており、台湾特許第５１４２８４号(特許文献１)および第５６３８６０号(特許文献２)を発明し、紙幣の厚さの僅かな差が直接紙幣排出に影響することを明らかにした。
また、図８は従来技術を示す断面図であり、図から分かるように、紙幣払出機Ａには紙幣収容部Ａ１が設けられ、紙幣収容部Ａ１前方には隙間調整装置Ｂが設けられ、紙幣収容部Ａ１下方には複数の排出ローラＡ２が設けられ、排出ローラＡ２はモータＡ３によって回動し、紙幣収容部Ａ１内の紙幣Ｃを隙間調整装置Ｂに搬送し、隙間調整装置Ｂを調整することによって、紙幣Ｃの排出数量を制御する構造となっている。排出ローラＡ２の円周の長さは紙幣Ｃの長さよりも短く、排出ローラＡ２は高摩擦材料（例えばゴム）を一体成形してなるので、排出ローラＡ２が回転するとき、継続して紙幣Ｃを外部に移動させる。仮に、常に紙幣一枚のみの排出を行うとき、排出ローラＡ２の円周の長さと紙幣Ｃの長さの比率を算出し、排出ローラＡ２が回転する回数と排出する紙幣一枚の長さとを合わせる必要がある。
しかし、各国の紙幣Ｃのサイズは全て異なり、一台の機器は一種類の紙幣Ｃのサイズにしか対応できないので、極めて不便である。また、排出ローラＡ２は摩擦力を利用して紙幣Ｃを移動させるので、一度に複数の紙幣Ｃを外部に移動させ、紙幣Ｃの厚さは極めて薄いので、隙間調整装置Ｂを紙幣Ｃと同じ厚さに精密に調整することはできない。このように、隙間が大きすぎるために容易に二枚の紙幣が前後に重なって排出されたり、隙間が狭すぎるために紙幣Ｃ一枚は何とか通過できるが、連動された複数の紙幣Ｃが隙間調整装置Ｂの後側に集まってしまい、排出ローラＡ２が継続して回転したとき、紙幣Ｃが隙間調整装置Ｂの隙間に詰まってしまう状況が発生し、さらには破損をもたらす可能性もある。上述の従来技術は機能は高まっているが、全体の構造から述べると複雑であり改善の余地があり、上述の従来技術の問題と欠点とを如何に解決するかが当該業界に従事する者の研究目標であった。
【特許文献１】台湾特許第５１４２８４号公報
【特許文献２】台湾特許第５６３８６０号公報
【発明の開示】
【発明が解決しようとする課題】
【０００４】
本発明の目的は、上記の問題点に鑑みてなされたもので、光発射モジュールと、光受信モジュールとによって排出紙幣の透光率が測定され、一枚目の紙幣が紙幣通路を通過したとき、光発射モジュールから照射される光線が紙幣を通過して光受信モジュールに照射または反射し、紙幣の透光率の数値が測定され、得られた測定数値と予め設定された基準値との比較が行われ、仮に二枚の紙幣が重なって排出されている場合、透光率が下がるので、予め設定された基準値との差が大きくなって紙幣は反対方向に回収され、改めて紙幣排出の動作が行われるという方法によって、紙幣が二枚同時に排出されるのを防ぎ、紙幣を一枚づつ確実に排出する方法を提供することにある。
【課題を解決するための手段】
【０００５】
前記課題を解決するため、請求項１の発明は、本体内に光発射モジュールと、光受信モジュールとが収容され、光発射モジュールおよび光受信モジュールは紙幣通路両側の紙幣排出口の近くに別々に設置され、一枚目の紙幣が紙幣通路を通過したとき、光発射モジュールから照射される光線が紙幣を通過して光受信モジュールに照射または反射し、得られた測定数値と予め設定された基準値との比較が行われ、仮に二つの数値が近似していれば継続して紙幣排出動作が行われ、二つの数値の差が大きい場合、紙幣は反対方向に回収されることを特徴とする紙幣が二枚同時に排出されるのを防ぐ方法である。
【０００６】
請求項２の発明は、本体は中空の収容体であり、本体内には基板が設けられ、基板の上方の中空部位には予め紙幣を堆積しておく紙幣収容部が形成され、基板の下方の中空部位には収容空間が形成され、基板の一側には紙幣通路が設けられ、紙幣通路は紙幣排出口と連通していることを特徴とする請求項１記載の紙幣が二枚同時に排出されるのを防ぐ方法である。
【０００７】
請求項３の発明は、 本体内に光発射モジュールと、光受信モジュールとが収容され、前記光発射モジュールおよび光受信モジュールは紙幣通路両側の紙幣排出口の近くに別々に設置され、一枚目の紙幣が紙幣通路を通過したとき、光発射モジュールから照射される光線が紙幣を通過して光受信モジュールに照射または反射し、得られた測定数値と予め設定された基準値との比較が行われ、仮に二つの数値が近似していれば継続して紙幣排出動作が行われ、二つの数値の差が大きい場合、紙幣は反対方向に回収されるものであって、前記本体は中空の収容体であり、前記本体内には基板が設けられ、基板の上方の中空部位には予め紙幣を堆積しておく紙幣収容部が形成され、基板の下方の中空部位には収容空間が形成され、基板の一側には紙幣通路が設けられ、紙幣通路は紙幣排出口と連通し、前記基板には複数の貫通孔が設けられ、収容空間内には搬送ローラセットが設置され、前記搬送ローラセットは基板の下方に位置し、紙幣収容部内には排出ローラセットが設置され、前記排出ローラセットは基板と紙幣通路との間に位置することを特徴とする紙幣が二枚同時に排出されるのを防ぐ装置である。
【０００８】
請求項４の発明は、搬送ローラセットは、複数の回転ローラからなり、一部の回転ローラの一側には押圧ブロックが嵌設され、基板の貫通孔上方に露出しており、排出ローラセットは、紙幣分離ローラ、調整ローラおよび押圧ローラからなることを特徴とする請求項３記載の装置である。
【０００９】
請求項５の発明は、排出ローラセットの紙幣分離ローラ、調整ローラおよび押圧ローラは、それぞれ対応する回転ローラ周縁に抵触しており、調整ローラは対応する回転ローラ上方で自由に間隔を調整できることを特徴とする請求項４記載の装置である。
【００１０】
請求項６の発明は、光発射モジュールは、電気抵抗、コンデンサ、トランジスタおよび発光素子からなり、制御回路と接続されており、制御回路は発光素子に入力される電流を制御して発光素子から発射される光線強度を制御することを特徴とする請求項１記載の紙幣が二枚同時に排出されるのを防ぐ方法である。
【００１１】
請求項７の発明は、光受信モジュールは、電気抵抗、コンデンサ、トランジスタおよび受信素子からなり、制御回路と接続されており、受信素子は受信測定した信号を制御回路に伝送して数値比較を行うことを特徴とする請求項１記載の紙幣が二枚同時に排出されるのを防ぐ方法である。
【００１２】
請求項８の発明は、予め設定された基準値は、紙幣排出動作を連続して数回行い、それによって得られた測定数値を平均したものとすることができることを特徴とする請求項１記載の紙幣が二枚同時に排出されるのを防ぐ方法である。
【発明の効果】
【００１３】
本発明は、主に光発射モジュールおよび光受信モジュールによって排出紙幣の透光率を測定することを利用しており、仮に、紙幣が二枚重なって搬送されているとき、透光率が低下し、予め設定した基準値と異なるので、紙幣が二枚同時に排出されているかどうかを判断でき、確実に紙幣が二枚同時に排出されるのを防ぐことができる。
【発明を実施するための最良の形態】
【００１４】
上述の目的を達成するために、本発明の方法、及び、装置において採用した技術および構造を示す実施例を図に沿って詳細に説明する。
【００１５】
図１は本発明の好適な実施例を示す斜視図である。図２は本発明の好適な実施例を示す分解図である。図３は本発明の好適な実施例を示す断面図である。
これらの図から分かるように、本発明による紙幣が二枚同時に排出されるのを防ぐ方法は本体１内に光受信モジュール２と光発射モジュール３とが収容されている。
【００１６】
本体１は中空の収容体であり、本体１内には基板１１が設けられ、基板１１には複数の貫通孔１１１が設けられ、基板１１の上方の中空部位には予め紙幣を堆積しておく紙幣収容部１２が形成され、基板１１の下方の中空部位には収容空間１３が形成され、基板１１の一側には紙幣通路１４が設けられ、紙幣通路１４は紙幣排出口１５と連通している。
【００１７】
光受信モジュール２は、紙幣通路１４一側の紙幣排出口１５の近くに設置され、電気抵抗、コンデンサ、トランジスタおよび受信素子２１からなり、制御回路（図４を参照）と接続されている。
【００１８】
光発射モジュール３は、紙幣通路１４他側の紙幣排出口１５の近くに設置され、電気抵抗、コンデンサ、トランジスタおよび発光素子３１とからなり、発光素子３１は受信素子２１と相互対応しており、制御回路（図４を参照）と接続されている。制御回路は発光素子３１に入力される電流を制御して発光素子３１から発射される光線強度を制御し、発光素子３１から照射される光線は紙幣通路１４を通過し、受信素子２１上に照射され、受信測定された信号は制御回路に伝送され数値比較が行われる。
【００１９】
次に、本体１内の搬送ローラセット４および排出ローラセット５の説明を行う。
搬送ローラセット４は、本体１の収容空間１３内に設置され、基板１１の下方に位置し、複数の回転ローラ４１からなり、一部の回転ローラ４１の一側には押圧ブロック４１１が嵌設され、基板１１の貫通孔１１１上方に露出している。排出ローラセット５は、本体１の紙幣収容部１２内に設置され、基板１１と紙幣通路１４との間に位置し、紙幣分離ローラ５１、調整ローラ５２および押圧ローラ５３からなる。紙幣分離ローラ５１、調整ローラ５２および押圧ローラ５３は、それぞれ対応する回転ローラ４１周縁に抵触しており、調整ローラ５２は対応する回転ローラ４１上方で自由に間隔を調整できる。
【００２０】
上述の光受信モジュール２、光発射モジュール３、搬出ローラセット４、排出ローラセット５および制御回路（図４を参照）は、駆動装置（図示せず）と電気的に接続でき、制御回路に予め設定されたプログラムに基づいて、光受信モジュール２および光発射モジュール３の作動制御と、搬送ローラセット４および排出ローラセット５による紙幣排出と回収動作の駆動制御とを行わせることができる。また、本体１とメインボード（図示せず）を接続し、メインボード（例えばコンピュータ、両替機または自動販売機など）に直接制御回路（図４を参照）の作動方式の設定を行わせることもできる。
制御回路の１部を図４に示すが、回路図のPT2,PT3の２つの光受信モジュール２が設けられ、ED2が光発射モジュール３であり、これらの回路に搬出ローラセット４、排出ローラセット制御回路が接続するが、これらの回路は公知の回路を適宜選択して用いればよい。
【００２１】
図３は、本発明の好適な実施例を示す断面図である。図５は本発明の好適な実施例の紙幣排出前の状態を示す断面図である。図６は、本発明の好適な実施例の紙幣排出後の状態を示す断面図である。図から分かるように、先ず、本体１の紙幣収容部１２内に複数の紙幣６を堆積し、紙幣６を払出すとき、搬送ローラセット４が正回転し、回転ローラ４１が回転したとき、回転ローラ４１に嵌設された押圧ブロック４１１が紙幣収容部１２内の一枚目の紙幣６に接触して摩擦力が発生し、紙幣６を排出口１５の方向へ移動させ、さらに一枚目の紙幣６を排出ローラセット５の紙幣分離ローラ５１まで移動させる。紙幣６が紙幣分離ローラ５１に接触したとき、紙幣分離ローラ５１は複数の紙幣６を階段状にし、押圧ローラ５３まで移動させ、同時に調整ローラ５２と対応する回転ローラ４１とによって形成された隙間を通過させ、紙幣通路１４内に進入させる。このとき、光受信モジュール２および光発射モジュール３は同時に測定動作を行う。
【００２２】
図７は、本発明の好適な実施例の動作を示すフローチャートの図である。光受信モジュール２および光発射モジュール３が測定動作を行うとき、制御回路（図４を参照）は下記のステップ１０１〜ステップ１０８の処理を行う。
【００２３】
先ず、ステップ（１０１）で、システムを初期化する。
次に、ステップ（１０２）で紙幣排出が行われているか判断し、行われている場合、下記のステップ（１０３）を行い、行われていない場合、継続してステップ（１０２）を行う。
続いて、ステップ（１０３）で、光発射モジュール３から照射される光線が紙幣を通過して光受信モジュール２に照射または反射し、ステップ（１０４）を行う。
【００２４】
次のステップ（１０４）では、得られた測定数値と予め設定された基準値との比較が行われ、仮に二つの数値が近似していれば継続してステップ（１０５）が行われ、二つの数値の差が大きい場合（紙幣が二枚同時に排出されている）、ステップ（１０６）を行う。
【００２５】
ステップ（１０５）で、光発射モジュール３および光受信モジュール２が継続して紙幣６の搬送が行われているかを測定し、行われている場合、継続してステップ（１０８）を行い、行われていない場合（または紙幣排出時間が長すぎる場合）はステップ（１０６）を行う。
【００２６】
ステップ（１０６）で、紙幣６を反対方向に回収し、ステップ（１０７）に移り、ステップ（１０７）では、作動を停止し、メンテナンス作業を行う。
一方、上記のステップ（１０５）で、搬送が順調に行われている場合は、紙幣のステップ（１０８）に移り、処理が完了する。
【００２７】
以上ように、本発明の実施例では、光発射モジュール３および光受信モジュール２によって排出紙幣の透光率を測定することを利用しており、仮に紙幣６が二枚重なって搬送されているとき、透光率が低下し、予め設定した基準値と異なるので、紙幣６が二枚同時に排出されているかどうかを判断できる。また、上述のステップにおける予め設定された基準値は、予め制御回路の設定プログラムに書き込むか、または紙幣排出動作を連続して数回行い、それによって得られた測定数値を平均したものとすることができ、それを制御回路の設定プログラム内に書き込む。このように、各国の材料の異なる紙幣６に適用でき、宝くじなどの各種の紙にも応用できる。
【００２８】
このように、光発射モジュールおよび光受信モジュールによって排出紙幣の透光率を測定することによって、紙幣が二枚同時に排出されるのを確実に防ぐ方法及び装置は、従来技術より機能を高めることができるものである。
なお、上述の詳細な説明における実施例の構成は、本発明の一実施例を示したものであり、本発明の特徴を損なわない限り上述した実施例に限定されるものではない。
【図面の簡単な説明】
【００２９】
【図１】本発明の好適な実施例を示す斜視図である。
【図２】本発明の好適な実施例を示す分解図である。
【図３】本発明の好適な実施例を示す断面図である。
【図４】本発明の好適な実施例の制御システムを示す回路図である。
【図５】本発明の好適な実施例の紙幣排出前の状態を示す断面図である。
【図６】本発明の好適な実施例の紙幣排出後の状態を示す断面図である。
【図７】本発明の好適な実施例の動作を示すフローチャートの図である。
【図８】従来技術を示す断面図である。
【符号の説明】
【００３０】
１      本体
１１    基板
１１１  貫通孔
１２    紙幣収容部
１３    収容空間
１４    紙幣通路
１５    排出口
２      光受信モジュール
２１    受信素子
３      光発射モジュール
３１    発光素子
４      搬送ローラセット
４１    回転ローラ
４１１  押圧ブロック
５      排出ローラセット
５１    紙幣分離ローラ
５２    調整ローラ
５３    押圧ローラ
６      紙幣
【図１】
2007041815.tif 000003
【図２】
2007041815.tif 000004
【図３】
2007041815.tif 000005
【図４】
2007041815.tif 000006
【図５】
2007041815.tif 000007
【図６】
2007041815.tif 000008
【図７】
2007041815.tif 000009
【図８】
2007041815.tif 000010